【手続補正書】
【提出日】平成19年7月5日(2007.7.5)
【手続補正１】
【補正対象書類名】特許請求の範囲
【補正対象項目名】全文
【補正方法】変更
【補正の内容】
【特許請求の範囲】
【請求項１】
燃料から改質ガスを発生させる燃料改質器と該燃料改質器を内部に収容する収納容器とを備える燃料改質装置であって、
前記燃料改質器は、一方の端部から前記燃料が供給されて他方の端部から前記改質ガスが排出される管状部材を具備しており、
該管状部材は、中央部の少なくとも一部において、軸方向に垂直な断面をみたときに一部が欠けた形状をしており、
前記管状部材の前記中央部の少なくとも一部と前記燃料改質器の残部とが陽極接合法により接合されていることを特徴とする燃料改質装置。
【請求項２】
前記管状部材と前記燃料改質器の残部との熱膨張係数差の絶対値が２０×１０−６／℃以下であることを特徴とする請求項１記載の燃料改質装置。
【請求項３】
前記収納容器は、凹部を有する基体と該基体に取着される蓋体とを備えることを特徴とする請求項１又は２記載の燃料改質装置。
【手続補正２】
【補正対象書類名】明細書
【補正対象項目名】発明の名称
【補正方法】変更
【補正の内容】
【発明の名称】燃料改質装置
【手続補正３】
【補正対象書類名】明細書
【補正対象項目名】０００１
【補正方法】変更
【補正の内容】
【０００１】
本発明は、例えば燃料電池システムにおいて各種燃料から吸熱触媒反応である水蒸気改質反応を利用して水素ガスを発生させる燃料改質器を用いた燃料改質装置に関するものである。
【手続補正４】
【補正対象書類名】明細書
【補正対象項目名】００１１
【補正方法】変更
【補正の内容】
【００１１】
本発明は上記従来の技術における問題点に鑑みて完成されたものであり、その目的は、燃料改質器へ良好に燃料を供給し、また、燃料改質器によって改質された水素ガス等の改質ガスを安全に燃料改質器収納用容器の外に排出できるとともに、発電損失の少ない燃料改質装置を提供することにある。
【手続補正５】
【補正対象書類名】明細書
【補正対象項目名】００１２
【補正方法】変更
【補正の内容】
【００１２】
本発明の燃料改質装置は、燃料から改質ガスを発生させる燃料改質器と該燃料改質器を内部に収容する収納容器とを備える燃料改質装置であって、前記燃料改質器は、一方の端部から前記燃料が供給されて他方の端部から前記改質ガスが排出される管状部材を具備しており、該管状部材は、中央部の少なくとも一部において、軸方向に垂直な断面をみたときに一部が欠けた形状をしており、
前記管状部材の中央部と前記燃料改質器の残部とが陽極接合法により接合されていることを特徴とする。
【手続補正６】
【補正対象書類名】明細書
【補正対象項目名】００１３
【補正方法】変更
【補正の内容】
【００１３】
本発明の燃料改質装置において、好ましくは、前記管状部材と前記燃料改質器の残部との熱膨張係数差の絶対値が２０×１０−６／℃以下であることを特徴とする。
【手続補正７】
【補正対象書類名】明細書
【補正対象項目名】００１４
【補正方法】変更
【補正の内容】
【００１４】
本発明の燃料改質装置において、好ましくは、前記収納容器は、凹部を有する基体と該基体に取着される蓋体とを備えることを特徴とする。
【手続補正８】
【補正対象書類名】明細書
【補正対象項目名】００１５
【補正方法】変更
【補正の内容】
【００１５】
本発明の燃料改質装置は、燃料から改質ガスを発生させる燃料改質器と該燃料改質器を内部に収容する収納容器とを備える燃料改質装置であって、燃料改質器は、一方の端部から燃料が供給されて他方の端部から改質ガスが排出される管状部材を具備しており、該管状部材は、中央部の少なくとも一部において、軸方向に垂直な断面をみたときに一部が欠けた形状をしており、管状部材の中央部と燃料改質器の残部とが陽極接合法により接合されていることから、収納容器の内側に燃料改質器の裏面全体を直接、面接合したり、台座等を介して接合したりする必要がなく、燃料改質器の熱が収納容器に伝達されるのを有効に抑制することができる。その結果、燃料改質器を断熱して燃料改質器の温度低下を抑制することができ、燃料改質器を良好に動作させるために必要な温度を保つためのヒーターに大きな電力を供給しつづける必要はなく、発電効率を著しく向上させることができる。
【手続補正９】
【補正対象書類名】明細書
【補正対象項目名】００１６
【補正方法】変更
【補正の内容】
【００１６】
また、燃料改質器から基体や蓋体への熱伝導を大幅に低減できるため、収納容器の外壁表面の温度が上昇するのを有効に抑制することが可能となる。
【手続補正１０】
【補正対象書類名】明細書
【補正対象項目名】００１７
【補正方法】変更
【補正の内容】
【００１７】
さらに、燃料を燃料改質器に供給するための供給管や改質ガスを燃料改質器から排出するための排出管を燃料改質器にろう材や接着剤等で接合させていた従来の構成では、供給管および排出管と燃料改質器との接合部が非常に弱く、接合不良が発生し易かったのに対し、燃料改質器が供給管や排出管と一体になった管状部材を有することによって接合不良を有効に防止できる。さらに、この管状部材に燃料改質器の残部を陽極接合法により接合することにより、容易に接合信頼性の高い燃料改質器を作製することができ、燃料の供給部および改質ガスの排出部を組み込んだ燃料改質システムをきわめて容易に構成することが可能となる。
【手続補正１１】
【補正対象書類名】明細書
【補正対象項目名】００１８
【補正方法】変更
【補正の内容】
【００１８】
さらに、燃料改質器が管状部材を有することから、燃料改質器の体積を低減できる。即ち、従来の燃料改質器は、シリコン板等に反応槽となる流体流路を形成し、このシリコン板に溝を覆うようにガラス板等をカバーとして接合して構成されており、ガラス板全体に熱が伝導するため、燃料改質器の温度を保つために多くの熱量を必要としたのに対し、燃料改質器の一部をガラス板ではなく、流体流路を覆うだけの管状部材で構成しているので、カバーの体積を低減してより少ない熱量で燃料改質器の温度を高温に保つことができる。
その結果、発電効率をより向上させることができる。
【手続補正１２】
【補正対象書類名】明細書
【補正対象項目名】００１９
【補正方法】変更
【補正の内容】
【００１９】
また、燃料改質器が管状部材を有することから、管状部材と燃料改質器の残部との陽極接合部の接合面積が小さくなり、陽極接合部の接合応力を低減することが可能になることから高い接合信頼性を得ることができる。
【手続補正１３】
【補正対象書類名】明細書
【補正対象項目名】００２０
【補正方法】変更
【補正の内容】
【００２０】
本発明の燃料改質装置は、管状部材と燃料改質器の残部との熱膨張係数差の絶対値が２０×１０−６／℃以下であることから、管状部材と燃料改質器の残部とが陽極接合により接合された後、常温から燃料改質器の動作温度までの繰り返しに対して、管状部材と燃料改質器の残部との熱膨張率差による応力を十分小さくすることができ、燃料改質器にクラック等が生じることを有効に抑制して非常に良好な接合信頼性を得ることが可能となる。
【手続補正１４】
【補正対象書類名】明細書
【補正対象項目名】００２１
【補正方法】変更
【補正の内容】
【００２１】
本発明の燃料改質装置は、収納容器が凹部を有する基体と該基体に取着される蓋体とを備えることから、燃料改質器によって改質された水素ガス等のガスを安全に収容容器の外に排出できるとともに、発電損失の少ないものとなる。
【手続補正１５】
【補正対象書類名】明細書
【補正対象項目名】００２２
【補正方法】変更
【補正の内容】
【００２２】
本発明の燃料改質装置の実施形態を以下に詳細に説明する。
【手続補正１６】
【補正対象書類名】明細書
【補正対象項目名】００２３
【補正方法】変更
【補正の内容】
【００２３】
図１は本発明の燃料改質装置の実施の形態の一例を示す断面図である。１は基体、２は配線としてのリード端子、３はボンディングワイヤ、４は蓋体、５は燃料改質器を構成する管状部材、５ａは燃料を供給する供給路としての供給管部分、５ｂは改質ガスを排出する排出路としての排出管部分、７は電極、８は基体１の貫通孔にリード端子２を絶縁しつつ封止固定するための絶縁封止材、９は燃料改質器であり、主にこれら基体１、蓋体４、管状部材５で燃料改質器９を収納する燃料改質器収納用容器１１が構成されている。
【手続補正１７】
【補正対象書類名】明細書
【補正対象項目名】００５７
【補正方法】変更
【補正の内容】
【００５７】
【図１】本発明の燃料改質装置の実施の形態の一例を示す断面図である。